(57)【要約】      （修正有）【課題】カード決済システム技術にて、パチンコホールと景品問屋と景品交換所との景品循環流通を記録し、経営の透明性と公正性を向上させる。【解決手段】景品問屋端末３と、景品交換所端末５と、景品交換所端末５からの景品問屋宛支払請求分とホール宛支払請求分との相殺処理手段と景品問屋端末３と景品交換所端末５とからの景品売上情報と信用照会情報とを受信したときの信用照会に係るカード決済の承認可否を審査する決済承認手段とその決済を承認したときにホール宛景品売上代金支払請求情報の送信と景品問屋宛景品売上代金支払請求情報と相殺処理結果の景品問屋端末３への送信手段とを備えた決済処理用サーバ７と、景品問屋端末３と景品交換所端末５とから決済処理用サーバ７へそれぞれ送信される売上情報と信用照会情報とをそれぞれ記録して決済処理用サーバ７へ転送する情報記録サーバ９と、ホールサーバ２と、景品問屋サーバ４と、を具備する。【選択図】図１
2006288562.tif 000002
【特許請求の範囲】
【請求項１】
景品問屋、ホール、景品交換所を循環流通するパチンコ景品の流通管理システムであって、
前記ホールに景品問屋が景品を販売したときの景品売上代金がクレジットカードにより決済されたときに、その景品売上代金を含む景品売上情報およびそのクレジットカードの信用を照会するための信用照会情報を送信する景品問屋端末と、
前記景品問屋に景品交換所が景品を販売したときの景品売上代金がクレジットカードにより決済されたときに、その景品売上代金を含む売上情報およびそのクレジットカードの信用を照会するための信用照会情報を送信する景品交換所端末と、
前記景品交換所端末からの売上情報を受信したときに、この売上情報に含まれる景品問屋宛の支払請求分と、ホール宛の支払請求分とを相殺処理する相殺処理手段と、前記景品問屋端末からの景品売上情報および信用照会情報と景品交換所端末からの景品売上情報および信用照会情報をそれぞれ受信したときに、これら信用照会に係るカード決済を承認するか否かを審査する決済承認手段と、この決済承認手段によりその決済を承認したときに、景品売上金の支払をホールに請求するホール宛景品売上代金支払請求情報を送信すると共に、景品問屋に景品売上代金の支払を請求する景品問屋宛景品売上代金支払請求情報と前記相殺処理手段による相殺処理結果を前記景品問屋端末へ送信する送信手段と、を備えた決済処理用サーバと、
前記景品問屋端末および景品交換所端末から前記決済処理用サーバへそれぞれ送信される売上情報および信用照会情報を、それぞれ記録すると共に、前記決済処理用サーバへ転送する情報記録サーバと、
前記決済処理用サーバからのホール宛景品売上代金支払請求情報を受信する一方、この景品売上代金支払請求を実行するための支払情報を前記決済処理用サーバへ送信するホールサーバと、
前記決済処理用サーバからの相殺処理結果を受信する景品問屋サーバと、
を具備していることを特徴とするパチンコ景品流通管理システム。
【請求項２】
前記景品問屋端末と景品交換所端末は、前記クレジットカードに記録されているクレジット情報を読み取る読取り部をそれぞれ具備していることを特徴とする請求項１または２記載のパチンコ景品流通管理システム。
【請求項３】
前記景品問屋端末は、携帯可能に構成され、前記景品売上情報および信用照会情報を無線により前記情報記録用サーバに送信するように構成されていることを特徴とする請求項２記載のパチンコ景品流通管理システム。
【請求項４】
前記決済処理用サーバからの前記景品問屋宛景品売上代金の支払を実行する支払情報を受信する景品交換所サーバ、
を具備していることを特徴とする請求項１〜３のいずれか１項記載のパチンコ景品流通管理システム。
【請求項５】
景品問屋、ホール、景品交換所を循環流通するパチンコ景品の流通管理システムであって、
前記ホールに景品問屋が景品を販売したときの景品売上代金がクレジットカードに記録されるべきカード情報により決済されたときに、その景品売上代金の支払を請求するホール宛景品売上代金支払請求情報を送信する景品問屋サーバと、
前記景品問屋に景品交換所が景品を販売したときの景品の売上代金がクレジットカードに記録されるべきカード情報により決済されたときに、その売上代金の支払を請求する景品売上代金支払請求情報を送信する一方、前記景品問屋による景品代金の支払を実行する代金支払情報を受信する交換所サーバと、
前記景品問屋サーバからのホール宛景品売上代金支払請求情報と景品交換所サーバからの景品問屋宛景品売上代金支払請求情報をそれぞれ受信したときに、これらホール宛景品売上代金と景品問屋宛売上代金とを相殺処理する相殺処理手段と、この相殺処理手段による相殺処理結果および景品問屋宛景品売上代金支払請求情報を前記景品問屋サーバに送信すると共に、ホール宛景品売上代金支払情報をホールサーバへ送信する一方、景品問屋サーバからの景品交換所への支払を実行する支払情報を景品交換所サーバへ送信する送信手段と、を備えた決済処理用サーバと、
この決済処理用サーバからのホール宛景品売上代金支払請求情報を受信する一方、このホール宛景品売上代金の景品問屋への支払を実行する支払情報を前記決済処理用サーバへ送信するホールサーバと、
を具備していることを特徴とするパチンコ景品流通管理システム。
【発明の詳細な説明】
【技術分野】
【０００１】
本発明はパチンコやパチスロ等の遊技場であるパチンコホールで獲得できる景品の流通を記録し明らかにするためのパチンコ景品流通管理システムに関する。
【背景技術】
【０００２】
一般に、パチンコホールでは、顧客がパチンコやパチスロのプレーを楽しむことができるうえに、そのプレーの結果得た貸玉数に応じた景品も獲得することができる。このために、我が国ではパチンコホールの人気が高い。なお、ここで、パチンコホールとは、パチンコまたはパチスロの専門店あるいは両者の併設店を含み、以下「ホール」と総称する。また、パチンコとパチスロを総称して「パチンコ」という。さらに、パチンコのプレーに使用するパチンコ玉と、パチスロで使用するコインやメダルを総称して「玉」という。
【０００３】
そして、景品としては、菓子やワイシャツ、音楽用ＣＤ（コンパクトディスク）等、一般的な商品である一般景品と特殊景品とがあり、特殊景品は所定の景品交換所において現金に交換される。
【０００４】
この景品交換所は、買い取った特殊景品を景品問屋に販売し、景品問屋はその仕入れた特殊景品を再びホールに納品する。したがって、特殊景品は、ホール，景品交換所，景品問屋の３店を順次循環し、その循環が繰り返される。
【０００５】
ところで、パチンコが健全な娯楽として存続するため、我が国では、ホール経営は、「風俗営業等の規制及び業務の適正化等に関する法律」の規制を受けており、ホール営業者の禁止行為として、この法律第２３条第１項第１号に、「現金又は有価証券を賞品として提供すること」、また、同２号に「客に提供した賞品を買取ること」をしてはならないことが明記されている。
【０００６】
したがって、現在、上記３店（ホール，景品問屋，景品交換所）は、それぞれ別の経営主体により事業が運営されている。すなわち、ホールは景品問屋より正規の納入により景品を買い入れ、代金を問屋に支払い、景品交換所は顧客から買い取った特殊景品を正規な形で景品問屋に売却する。景品問屋は特殊景品の買取り代金を景品交換所に支払うという正規な商行為が求められている。
【発明の開示】
【発明が解決しようとする課題】
【０００７】
しかしながら、このような３店間を景品が循環する景品の流通状況や３店間の業務フローを明確に公表するシステムは現在知られていない。
【０００８】
一方、一部のホールは上記のような正規な景品の売買、代金の支払手続きを行わず、ホールと同じ経営主体が景品交換所も運営し、実際には景品交換所で貯まった特殊景品を直接ホールに戻すといった違法行為も行なわれている。
【０００９】
このような特殊景品の換金手続の不正や売上の隠匿による脱税といった反社会性、経営の不透明性のために、ホールの株式公開による資金調達や社会的信頼性向上がまだ実現されていない。
【００１０】
本発明はこのような事情を考慮してなされたもので、その目的は、カード決済システム技術を応用することにより３店間を循環流通する景品の流通を記録し、これら３店の経営の透明性と公正性を向上させることができるパチンコ景品流通管理システムを提供する点にある。
【課題を解決するための手段】
【００１１】
請求項１に係る発明は、景品問屋、ホール、景品交換所を循環流通するパチンコ景品の流通管理システムであって、前記ホールに景品問屋が景品を販売したときの景品売上代金がクレジットカードにより決済されたときに、その景品売上代金を含む景品売上情報およびそのクレジットカードの信用を照会するための信用照会情報を送信する景品問屋端末と、前記景品問屋に景品交換所が景品を販売したときの景品売上代金がクレジットカードにより決済されたときに、その景品売上代金を含む売上情報およびそのクレジットカードの信用を照会するための信用照会情報を送信する景品交換所端末と、前記景品交換所端末からの売上情報を受信したときに、この売上情報に含まれる景品問屋宛の支払請求分と、ホール宛の支払請求分とを相殺処理する相殺処理手段と、前記景品問屋端末からの景品売上情報および信用照会情報と景品交換所端末からの景品売上情報および信用照会情報をそれぞれ受信したときに、これら信用照会に係るカード決済を承認するか否かを審査する決済承認手段と、この決済承認手段によりその決済を承認したときに、景品売上金の支払をホールに請求するホール宛景品売上代金支払請求情報を送信すると共に、景品問屋に景品売上代金の支払を請求する景品問屋宛景品売上代金支払請求情報と前記相殺処理手段による相殺処理結果を前記景品問屋端末へ送信する送信手段と、を備えた決済処理用サーバと、前記景品問屋端末および景品交換所端末から前記決済処理用サーバへそれぞれ送信される売上情報および信用照会情報を、それぞれ記録すると共に、前記決済処理用サーバへ転送する情報記録サーバと、前記決済処理用サーバからのホール宛景品売上代金支払請求情報を受信する一方、この景品売上代金支払請求を実行するための支払情報を前記決済処理用サーバへ送信するホールサーバと、前記決済処理用サーバからの相殺処理結果を受信する景品問屋サーバと、を具備していることを特徴とするパチンコ景品流通管理システムである。
【００１２】
請求項２に係る発明は、前記景品問屋端末と景品交換所端末は、前記クレジットカードに記録されているクレジット情報を読み取る読取り部をそれぞれ具備していることを特徴とする請求項１または２記載のパチンコ景品流通管理システムである。
【００１３】
請求項３に係る発明は、前記景品問屋端末は、携帯可能に構成され、前記景品売上情報および信用照会情報を無線により前記情報記録用サーバに送信するように構成されていることを特徴とする請求項２記載のパチンコ景品流通管理システムである。
【００１４】
請求項４に係る発明は、前記決済処理用サーバからの前記景品問屋宛景品売上代金の支払を実行する支払情報を受信する景品交換所サーバ、を具備していることを特徴とする請求項１〜３のいずれか１項記載のパチンコ景品流通管理システムである。
【００１５】
請求項５に係る発明は、景品問屋、ホール、景品交換所を循環流通するパチンコ景品の流通管理システムであって、前記ホールに景品問屋が景品を販売したときの景品売上代金がクレジットカードに記録されるべきカード情報により決済されたときに、その景品売上代金の支払を請求するホール宛景品売上代金支払請求情報を送信する景品問屋サーバと、前記景品問屋に景品交換所が景品を販売したときの景品の売上代金がクレジットカードに記録されるべきカード情報により決済されたときに、その売上代金の支払を請求する景品売上代金支払請求情報を送信する一方、前記景品問屋による景品代金の支払を実行する代金支払情報を受信する交換所サーバと、前記景品問屋サーバからのホール宛景品売上代金支払請求情報と景品交換所サーバからの景品問屋宛景品売上代金支払請求情報をそれぞれ受信したときに、これらホール宛景品売上代金と景品問屋宛売上代金とを相殺処理する相殺処理手段と、この相殺処理手段による相殺処理結果および景品問屋宛景品売上代金支払請求情報を前記景品問屋サーバに送信すると共に、ホール宛景品売上代金支払情報をホールサーバへ送信する一方、景品問屋サーバからの景品交換所への支払を実行する支払情報を景品交換所サーバへ送信する送信手段と、を備えた決済処理用サーバと、この決済処理用サーバからのホール宛景品売上代金支払請求情報を受信する一方、このホール宛景品売上代金の景品問屋への支払を実行する支払情報を前記決済処理用サーバへ送信するホールサーバと、を具備していることを特徴とするパチンコ景品流通管理システムである。
【発明の効果】
【００１６】
本発明によれば、ホール、景品問屋、景品交換所を循環流通するパチンコ景品と、それに伴う売買代金等金銭の流れを情報記録サーバと決済処理用サーバに記録するので、ホール、景品問屋、景品交換所の経営の透明性、公明性を向上させることができる。
【００１７】
また、景品の売買代金等をクレジットカードにより決済し、現金の取扱いを排除しているので、現金の取扱いに伴う事故や不正の危険性を低減させることができる。
【発明を実施するための最良の形態】
【００１８】
以下、本発明の実施形態を図１および図２に基づいて説明する。
【００１９】
図１は本発明の第１実施形態に係る景品流通管理システム１の全体構成を示すシステム構成図である。この図１に示すように景品流通管理システム１は、景品問屋、パチンコホール（以下、ホールという）、景品交換所を転々と循環流通する景品の当該フローとそのフローに伴う景品の売買代金のフローを記録管理するものであり、パチンコホールに配設されたホールサーバ２、景品問屋が保有する携帯形カードリーダ等の景品問屋端末３、景品問屋に設置の景品問屋サーバ４、景品交換所に配設されたカードリーダ等の景品交換所端末５および景品交換所サーバ６、クレジットカードを発行するクレジットカード会社に設置された決済処理用サーバ７、情報処理センタに設置され、景品問屋端末３および景品交換所端末５から決済処理用サーバ７にそれぞれ送信される売上情報および信用照会情報を記録用データベース８に記録する情報記録サーバ９と、を具備している。
【００２０】
そして、景品流通管理システム１は、ホールサーバ２、景品問屋サーバ４、景品交換所サーバ６、決済処理用サーバ７、情報記録サーバ９を専用電気通信回線やインターネット等の電気通信回線により接続している。
【００２１】
カード会社は、事前にホールと景品問屋に、ホール用景品仕入れ用のクレジットカードＡと、問屋用景品仕入れ用のクレジットカードＢと、をそれぞれ発行している。これらカードＡ，Ｂは、ＩＣ（集積回路）型や磁気ストライプ型等からなり、カード会社のＩＤ（IDentification）番号、ホールと景品問屋等カード発行先（カード所持人）のＩＤ番号、カード有効期限、与信限度額等、カード決済に必要なデータが記録されている。
【００２２】
また、カード会社は決済処理用サーバ７を備えている。この決済処理用サーバ７はカードＡ，Ｂによりホールと景品問屋による景品売上（購入）代金等がカード決済されたときに、信用照会情報を受信して自動承認システムによりカード決済承認の可否を審査する決済承認手段と、この決済承認手段による審査結果を信用照会元へ返信する送信手段と、景品問屋がホールに対して支払を請求する景品売上代金（債権）と、景品問屋が景品交換所に対して支払うべき景品売上代金（債務）と相殺する相殺処理手段を主に備えている。
【００２３】
情報管理センタは、例えばホールや景品問屋、問屋交換所の各事業者とは異なる第三者により運営され、情報記録サーバ９と記録用ＤＢ（データベース）８とを具備している。
【００２４】
情報記録サーバ９は景品問屋端末３と景品交換所端末５から受信した売上情報と信用照会情報とをそれぞれ受信し、これら売上情報と信用照会情報とをそれぞれ記録用ＤＢ７に記録する一方、カード会社の決済処理用サーバ７に転送する機能を有する。
【００２５】
次に、この景品流通管理システム１の作用を図１に基づいて説明する。まず、ホールと景品問屋間の業務・決済フローを説明する。
【００２６】
（１）まず、景品問屋がホール側の注文に応じて一般景品や特殊景品をホールに納入する。これにより、景品の販売額（売上代金）が請求される。
【００２７】
（２）この請求に対してホール側が、カードＡにより決済するために、景品問屋側が景品納入時に持参した、例えば携帯型のカードリーダ等の景品問屋端末３のカードスリット内にカードＡを通し、売上情報を入力する。売上情報としては、売上金額、売り先であるホールの特定、景品データ、決済日時等がある。
【００２８】
（３）すると、このカードＡに記録されているカード番号やカードＡの持主のホール先のＩＤ、等のカード情報が信用照会情報として景品問屋の売上情報と共に、情報管理センタの情報記録サーバ９を経由してカード会社の決済処理用サーバ７へ伝送される。
【００２９】
すなわち、景品問屋端末３はカードＡを読み込むと、売上情報と信用照会情報が無線または電気通信回線により情報記録サーバ９へ送信される。
【００３０】
（４）情報記録サーバ９は、受信した売上情報と信用照会情報を、記録用ＤＢ８に記録する一方、カード会社の決済処理用サーバ７へ転送する。
【００３１】
（５）決済処理用サーバ７は、この売上情報と信用照会情報を受信すると、カードＡについて、無効カードのチェックや与信限度を確認し、カードＡによる決済（２）を承認するか否か審査し、その審査結果を景品問屋サーバ４へ送信する。
【００３２】
そして、決済処理用サーバ７は、このカード決済（２）を承認したときは、景品問屋からの売上情報に基づいて、その売上金額にカード会社の手数料を上乗せする等の所要の加工を加えることにより、ホールに対して売上代金の支払を請求する明細書等を記載した請求書を作成し、これをホール宛景品売上代金支払請求情報としてホールサーバ２に送信する。
【００３３】
（６）さらに、決済処理用サーバ７は、このホール宛景品売上代金支払請求情報の送信とほぼ同時に金融機関に対しホールの決済口座からの引落しデータを送信し口座振替依頼を行う。この口座入金の確認によりホールの景品問屋に対する支払は完了するが、決済処理用サーバ７は、このホールの支払金額を、この後、景品問屋に対して発生する景品交換所の景品問屋宛景品売上代金支払請求金と相殺するための相殺元本として留保し、さらにホールの支払明細通知を景品問屋サーバ４に対して、メール送信、ファックス送信、決済処理用サーバ７のＷＥＢ照会画面表示の少なくともいずれかにより実行する。
【００３４】
次に景品問屋と景品交換所間の業務・決済フローを説明する。
【００３５】
（７）まず、景品交換所がホールの顧客から特殊景品を買い取り、この買い取った特殊景品が景品問屋に販売納入される。
【００３６】
（８）景品問屋は、この特殊景品購入代金を景品問屋所持のカードＢにより決済するために、景品交換所端末５のカードスリット内にカードＢを挿通する。
【００３７】
（９）すると、景品交換所端末５は売上情報と信用照会情報が無線または電気通信回線を介して情報管理センタの情報記録サーバ９へ送信される。この売上情報としては売上金額、売り先である景品問屋の特定、特殊景品データ、決済日時等がある。
【００３８】
（１０）情報記録サーバ９は、受信した売上情報と信用照会情報を、記録用ＤＢ８に記録する一方、カード会社の決済処理用サーバ７へ転送する。
【００３９】
（１１）決済処理用サーバ７は、この景品交換所の売上情報と信用照会情報を受信すると、カードＢについて無効カードのチェックや与信限度等を確認し、カードＢによる決済（８）を承認するか否かを審査し、その審査結果を景品交換所端末５へ送信する。
【００４０】
（１２）そして、決済処理用サーバ７は、このカード決済（８）を承認したときは、景品交換所５からの特殊景品の売上情報に基づいて景品問屋に対して特殊景品の売上代金の支払を請求する請求とその明細通知を作成し、この請求は景品交換所サーバ６へのメール送信、ファックス送信、決済処理用サーバ７のＷＥＢ照会画面の少なくともいずれかにより実行される。
【００４１】
（１３）さらに、決済処理用サーバ７は、その相殺手段により、ホールに対する景品問屋のホール宛売上代金請求分（債権）と、景品交換所に対する景品問屋の売上代金支払分（債務）とを相殺する相殺処理を行う。この相殺額を含む相殺明細通知は、決済処理用サーバ７から景品問屋端末３へのメール送信、ファックス送信、決済処理用サーバ７のＷＥＢ照会画面表示の少なくともいずれかにより実施される。
【００４２】
相殺処理は特殊景品について例えば毎日行ない、（２）のＡカードによる決済と、（８）のＢカードによる決済の金額が一致しない場合、決済処理用サーバ７により帳尻金額をその都度加算、もしくは減算の上、この帳尻金額データを蓄積し、原則として毎月の締め日に基づき清算処理を行う。通常、Ａカードによる決済額と、Ｂカードによる決済額とは一致することはない。すなわち、通常、ホール側は１日で顧客が交換する景品数よりも多目の景品数を常に仕入れておくためである。
【００４３】
（１４）そして、決済処理用サーバ７は相殺処理後、景品交換所に対する支払明細通知と送金支払実施が景品交換所サーバ６へのメール送信、ファックス送信、ＷＥＢ照会画面表示の少なくともいずれかにより行なわれる。
【００４４】
したがって、この景品流通管理システム１によれば、ホール、景品問屋、景品交換所を循環流通する景品と、それに伴う売買代金等金銭の流れを情報記録サーバ９の記録用ＤＢ８に記録するので、ホール、景品問屋、景品交換所間を転々と流通する景品のフローとそれに伴う金銭のフローが第三者に対しても明確にできる。このために、これら３店の経営の透明性、公明性を向上させることができる。
【００４５】
また、景品の売買代金等をクレジットカードにより決済し、現金の取扱いを排除しているので、現金の取扱いに伴う事故や不正の危険性を低減させることができる。
【００４６】
さらに、ホールから受け取るべき景品問屋の債権である売上代金請求分と、景品交換所に対して景品問屋が支払うべき債務である売上代金支払分と、を決済処理用サーバ７により相殺処理するので、ホールや景品問屋、景品交換所の事務処理業務の効率化とコスト削減を図ることができる。すなわち、仮に相殺処理をしなければ毎日カード会社から景品問屋への支払（送金）手続きを実際に行う事務処理業務とコストが発生する。具体的には、カード会社は銀行等の金融機関に対し、毎日確定した送金金額のデータを渡し、被仕向け送金依頼を行なわねばならない事務手続きと振込み送金手数料が毎日発生することになる。景品問屋側も毎日入金の確認と帳簿の消し込み処理をする必要がある。
【００４７】
さらに、景品問屋の口座引落しによるカード会社の入金処理の場合も、景品問屋にすれば多額の（例えば数百万円から１０００万円単位の）決済資金を毎日金融機関の口座に入れておかねばならないし、カード会社も毎日入金の確認と帳簿の消し込み処理をする必要が出てくる。銀行手数料も当然かかる。
【００４８】
これらは一見すると、専らカード会社の事務処理ならびにコスト削減のための相殺であり、パチンコホールや景品問屋の効率化ではないようにも見えるが、元々カード決済処理を導入しない前提で、ホールと景品問屋ならびに景品交換所の３店が自前で毎日の景品売買の透明性を図るために記録に残すべく毎日代金決済をすることと比較すれば、実はホール側で毎日銀行等金融機関に口座振替や送金依頼を結局することになるので、やはり本景品流通管理システム１の如く、第三者であるカード会社が３店の中間に入り決済処理を合理化することに大いなる効用が見出せることになる。
【００４９】
図２は本発明の第２実施形態に係る景品流通管理システム１Ａの全体構成と業務フローとを共に示すブロック図である。
【００５０】
この景品流通管理システム１Ａは、上記第１の実施形態に係る景品流通管理システム１において使用するＡ，Ｂカード自体を省略して、これらＡ，Ｂカードに電子的または電磁的に記録されているカード記録情報に基づいて、ホール，景品問屋，景品交換所３店間で発生する債権債務を、これら３店の各サーバ２，４，６による企業間電子商取引により決済する点に特徴がある。
【００５１】
このために、景品流通管理システム１Ａでは、第１の実施形態に係る景品流通管理システム１における、いわゆるカードリーダである景品問屋端末３と景品交換所端末５を省略している。なお、このＡ，Ｂカードのカードリーダを使用せずに、これらＡ，Ｂカードに記録されているＩＤ番号等カード情報に基づいて行なう決済を仮にＩＤ決済という。
【００５２】
また、景品流通管理システム１Ａでは、情報管理センタの情報記録サーバ９および記録用ＤＢ８を省略し、景品問屋サーバ４と景品交換所サーバ６を決済処理用サーバ７に専用回線またはインターネットを使用する公衆回線により直結している。その理由は、ホール、景品問屋および景品交換所３店に対しては第三者であるカード会社の決済処理用サーバ７により、景品問屋と景品交換所からの売上情報を受信し、決済承認や相殺処理を行なうことにより、ホール，景品問屋および景品交換所３店間を循環流通する景品のフローとその代金フローを記録しているので、これら景品とその代金のフローの公明性を担保することができるためである。
【００５３】
次に、この景品流通管理システム１Ａの作用を図２に基づいて説明する。
【００５４】
まず、カード会社は、ホールと景品問屋に、プラスチック製等のＡ，Ｂカード自体を発行せずに、これらＡ，Ｂカードに記録すべきＩＤ番号等カード決済に必要な決済データ（カード情報）を与え、登録しておく。例えばホールサーバ２と景品問屋サーバ４にカードデータとして例えばＩＤ番号等を送信し、事前にそれぞれ登録させておく。
【００５５】
（１ａ）この後、景品問屋がホールに所要の景品を納入したときに、その納入データが景品問屋サーバ４に入力され、かつホールのＩＤ番号が入力されることによりＩＤ決済される（２ａ）。納入データとしては例えば売上金額や景品データ、納入日等がある。
【００５６】
（３ａ）すると、景品問屋サーバ４からホールへの納入データが売上情報として直接決済処理用サーバ７へ送信される。このとき、信用照会情報は省略される。
【００５７】
（４ａ）決済処理用サーバ７は受信した売上情報を図示しないＤＢ（データベース）等に記録する一方、この売上情報に基づいて、その売上金額に、カード会社の手数料を上乗せする等の所要のデータ加工により景品売上代金の明細等の請求書を作成し、これをホール宛景品売上（購入）代金支払請求情報としてホールサーバ２へ送信する。
【００５８】
（５ａ）このホール宛景品売上代金支払請求情報をホールサーバ４により受信したホール側では、景品の納入データ、例えば納入金額、納入先、納入日等が正しいことを承認してから金融機関に対してホールの決済口座からの引落しデータを送信して、口座振替を依頼する。口座入金確認により景品問屋に支払うべき景品売上代金の支払は完了する。
【００５９】
（６ａ）次に景品交換所が特殊景品を景品問屋に販売したときに、その販売（納入）データが景品交換所サーバ６に入力され、かつ景品問屋のＩＤ番号が入力されることにより、ＩＤ決済される（７ａ）。販売データとしては例えば売上金額や景品データ、販売日（納入日）等がある。
【００６０】
（８ａ）すると、景品問屋サーバ４から景品問屋への販売データが景品交換所の売上情報として直接決済処理用サーバ７へ送信される。このとき、信用照会情報は省略される。
【００６１】
（９ａ）決済処理用サーバ７は景品交換所サーバ６からの売上情報を受信すると、この売上情報を図示しないＤＢに記録する一方、この売上情報に基づいて、その売上金額にカード会社の手数料を上乗せする等の所要のデータ加工を行なって景品売上代金の明細等の請求書を作成し、これを景品問屋宛景品売上（購入）代金支払請求情報として景品問屋サーバ４へのメール送信、ファックス送信、ＷＥＢ照会画面表示の少なくともいずれかにより実行される。
【００６２】
（１０ａ）さらに、決済処理用サーバ７は、その相殺手段により、ホールに対する景品問屋の債権であるホール宛売上代金請求分と、景品交換所に対して支払うべき景品問屋の債務である景品問屋宛売上代金支払分とを相殺する相殺処理を行なう。
【００６３】
（１１ａ）この相殺処理を含む相殺の明細書通知は、景品問屋サーバ４へのメール送信、ファックス送信、決済処理用サーバ７のＷＥＢ照会画面表示の少なくともいずれかにより実行される。この相殺処理は、図１で示す景品流通管理システム１と同様であるので、その詳細な説明は割愛する。
【００６４】
（１２ａ）そして、決済処理用サーバ７は相殺処理後、支払明細通知を景品交換所６へ送信し、送金支払を実施する。すなわち、景品問屋の金融機関に対して、景品問屋の決済口座からの引落しデータを送信して、口座振替を依頼し、口座入金確認後、景品問屋の景品交換所に対する景品売上代金支払は完了する。
【００６５】
したがって、この景品流通管理システム１Ａによれば、ホール、景品問屋、景品交換所の３店を循環流通する景品と、この景品の循環に伴う売買代金等金銭と、の流れを決済処理用サーバ７の記録用ＤＢに記録するので、ホール、景品問屋、景品交換所の第三者に対する経営の透明性、公明性を向上させることができる。
【００６６】
また、景品の売買代金等をクレジットカードにより決済し、現金の取扱いを排除しているので、現金の取扱いに伴う事故や不正の危険性を低減させることができる。
【００６７】
しかも、このクレジットカード決済ではＡ，Ｂカード自体を使用せずに、Ａ，Ｂカードに記録されるべきカード情報のＩＤ番号等により決済するので、これらＡ，Ｂカードの省略と、これらＡ，Ｂカードのカードリーダである景品問屋端末３、景品交換所端末５を省略することができる。このために、決済処理用サーバ７の信用照会に対する審査承認手段を省略することができるうえに、システム全体の構成を簡素化することができる。
【００６８】
また、景品流通管理システム１Ａでは、図１で示す情報記録サーバ９と記録用ＤＢ８を省略しているので、システム全体の構成のさらなる簡素化を図ることができる。
【００６９】
さらに、景品問屋からホールへ景品を販売した売上情報は、ホール宛景品売上代金支払請求情報としてホールサーバ２へ送信されるので、ホール側では、その売上額（請求額）やホール先等を含めたホール宛景品売上代金支払請求のデータの正否を承認ないし確認することができる。
【００７０】
同様に、景品問屋宛景品売上代金支払請求情報が景品問屋サーバ６に送信されるので、景品問屋側では、その売上額（請求額）や景品問屋先等を含めた景品問屋宛景品売上代金支払請求のデータの正否を承認ないし確認することができる。
【００７１】
このために、景品売上代金の請求ないし支払を巡る紛争発生の虞を低減することができる。
【００７２】
なお、上記実施形態では、景品として一般景品も含む場合について説明したが、本発明はこれに限定されるものではなく、例えば特殊景品のみに限定してもよい。
【図面の簡単な説明】
【００７３】
【図１】本発明の第１実施形態に係る景品流通管理システムの全体構成と３店の業務フローを共に示すブロック図。
【図２】本発明の第２実施形態に係る景品流通管理システムの全体構成と３店の業務フローを共に示すブロック図。
【符号の説明】
【００７４】
１，１Ａ  景品流通管理システム
２  ホールサーバ
３  景品問屋端末
４  景品問屋サーバ
５  景品交換所端末
６  景品交換所サーバ
７  決済処理用サーバ
８  記録用ＤＢ
９  情報記録用サーバ
【図１】
2006288562.tif 000003
【図２】
2006288562.tif 000004